(57)【要約】【課題】  継手用配管カバーの材料及び形状にかかわらず、簡易かつ簡便に配管カバーに接続することができるとともに、任意の傾斜で配管カバーを継手用配管カバーに接続した場合においても、両者の間に生じる隙間を最小限にとどめ、パテ等で隙間を閉塞する作業を回避して、取り付けが容易に行うことができる継手用配管カバーを提供することを目的とする。【解決手段】  配管カバー１３を接続するための接続口１１を両端に有する継手用配管カバー１０において、両端の接続口１１が、それぞれ、継手用配管カバー１０の奥側に向かうにつれて内径が大きくなるように形成されてなる継手用配管カバー。【選択図】  図１
2005069341.tif 000002
【特許請求の範囲】
【請求項１】
配管カバーを接続するための接続口を両端に有する継手用配管カバーにおいて、
前記接続口が、該接続口に挿入された配管カバーの挿入角度を変更し得るように前記継手用配管カバーの奥側に向かうにつれて内径が大きくなるように形成されてなることを特徴とする継手用配管カバー。
【請求項２】
２つの接続口面が略直交するように形成されてなる請求項１に記載の継手用配管カバー。
【請求項３】
２つの接続口面が６０〜７５°の角度で交差するように形成されてなる請求項１に記載の継手用配管カバー。
【請求項４】
接続口近傍の内側に、配管カバーの挿入角度及び／又は挿入寸法を規制する少なくとも１つの突状規制部を備えてなる請求項１〜３のいずれか１つに記載の継手用配管カバー。
【請求項５】
突状規制部が、配管カバーの異なる挿入角度及び／又は挿入寸法を規制し得る形状
を有してなる請求項４に記載の継手用配管カバー。
【請求項６】
接続口の先端部において、内周のエッジ部の全部又は一部が面取りされてなる請求項１〜５のいずれか１つに記載の継手用配管カバー。
【発明の詳細な説明】
【技術分野】
【０００１】
本発明は、継手用配管カバーに関し、より詳細には、例えば、エアコンの室内ユニット等から室外ユニット等にわたって接続される配管及び電線等を収容し、保護し得るコーナー用等の継手用配管カバーに関する。
【背景技術】
【０００２】
従来、コーナー部分に使用されるエルボ型配管カバーが提案されている（例えば、特許文献１）。このエルボ型配管カバーは、建物の内壁面又は外壁面に沿って配設されるエアコン等のエルボ型配管カバーとして利用されるものであり、図４に示すように、屈曲した半割筒形状の上カバー分割体４０と下カバー分割体（図示せず）とが合体して構成されている。また、上カバー分割体４０及び下カバー分割体が、さらに第１半４１及び第２半体４２に分割され、これら第１半体４１及び第２半体４２が、端部において一部重なりあって、任意の屈曲角度に回動するように連結されている。
【０００３】
しかし、このようなエルボ型配管カバー４３は、上下カバー分割体の第１及び第２半体４１、４２、これらの連結及び回動を可能とする軸部分（図示せず）が必要となり、複雑な形状の部品が多くなり、それ自体、可動部があるため強度が低下する。また、これらを組み立てる、煩雑な組み立て作業を要することとなり、製造コストの増大を招く。したがって、安価なエルボ型配管カバーを供給することができない。さらに、エルボ型配管カバー４３自体が可動部を有するため、取り付け時にエルボ型配管カバー４３の屈曲形状が予定した角度からずれて、取り付け角度の固定が煩雑になるとなるという課題がある。
【０００４】
一方、エアコン等の配線カバーとして、直線状カバーに接続され、勾配を付与するための付属カバーが提案されている（例えば、特許文献２）。この付属カバー５０は、図５に示すように、屈曲した半割筒形状の上カバー分割体及び下カバー分割体５１が合体して構成されており、直線状カバー５２が挿入される接続口５３は、その開口方向に対して角度を振って接続可能となるように、外方に変形できるような材料で形成されている。
【０００５】
しかし、この付属カバー５０では、接続口５３ａの形状が直線状カバー５２の挿入角度によって変形するが、変形する側に対向する側の接続口５３ｂでは、直線状カバー５２と付属カバー５０との間に隙間が生じる。また、この隙間が大きくなると、パテ等でその隙間を塞ぐという工程が必要となり、作業が煩雑となるとともに、パテ等の閉塞部材を必要とし、取り付けコストの増加を招く。
【特許文献１】特開平７−２０８６８２号公報
【特許文献２】特開２００２−１４７６８３号公報
【発明の開示】
【発明が解決しようとする課題】
【０００６】
本発明は、上記課題に鑑みなされたものであり、継手用配管カバーの材料及び形状にかかわらず、簡易かつ簡便に、例えば直線状の配管カバーに接続することができるとともに、直線状の配管カバーを継手用配管カバーに接続した場合に、挿入された直線状の配管カバーを任意の傾斜に変更することができ、さらに、両者の間に生じる隙間を最小限にとどめ、パテ等で隙間を閉塞する作業を回避して、取り付けが容易に行うことができる継手用配管カバーを提供することを目的とする。
【課題を解決するための手段】
【０００７】
本発明は、配管カバーを接続するための接続口を両端に有する継手用配管カバーにおいて、前記接続口が、該接続口に挿入された配管カバーの挿入角度を変更し得るように前記継手用配管カバーの奥側に向かうにつれて内径が大きくなるように形成されてなることを特徴とする。
【０００８】
また、本発明は、上記継手用配管カバーにおいて、２つの接続口面が略直交するか、６０〜７５°の角度で交差するように形成されることを特徴とする。
【０００９】
さらに、本発明は、上記継手用配管カバーにおいて、接続口近傍の内側に、配管カバーの挿入角度及び／又は挿入寸法を規制する少なくとも１つの突状規制部を備えてなることを特徴とする。
【００１０】
また、本発明は、上記継手用配管カバーにおいて、突状規制部が、配管カバーの異なる挿入角度及び／又は挿入寸法を規制し得る形状を有してなることを特徴とする。
【００１１】
さらに、本発明は、上記継手用配管カバーにおいて、接続口の先端部において、内周のエッジ部の全部又は一部が面取りされてなることを特徴とする。
【発明の効果】
【００１２】
本発明によれば、例えば、直線状等の配管カバー（以下、「直線状配管カバー」と称する）を、本発明の継手用配管カバーに接続する際に、接続口の大きさと同程度の外周を有する直線状配管カバーを選択すれば、挿入した直線状配管カバーの挿入角度を任意に傾斜、変更させることができるように接続口の奥側に向かうにつれて内径が大きくなるように形成されているために、直線状配管カバーの接続方向の許容範囲を大きく確保することができる。つまり、大きな角度で直線状配管カバーを傾斜させることができる。よって、例えば、エアコン等のドレン勾配を容易に確保することが可能となる。また、配管の施行時の直線ずれに容易に対応することができ、さらに、接続口において、直線状配管カバーと継手用配管カバーとの隙間を最小限に止めることができ、パテ等でその隙間を塞ぐ手間を回避することができ、取り付け作業が容易に行うことができる。
特に、両端の接続口のいずれもが、奥側に向かうにつれて内径が大きくなるように形成されている場合には、接続口に挿入する直線状配管カバーのいずれにおいても、上述したように挿入角度を変更する、つまり、直線状配管カバーを傾斜させることができ、作業性がより有利となる。
【００１３】
また、２つの接続口面が略直交するか、６０〜７５°の角度で交差するように形成されている場合には、予定される直線状配管カバーの傾斜角度に適合した継手用配管カバーとすることができ、より容易かつ安定に直線状の配管カバーを接続することができる。
【００１４】
さらに、接続口近傍の内側に、直線状配管カバーの挿入角度及び／又は挿入寸法を規制する少なくとも１つの突状規制部を備える場合には、任意の角度で、任意の挿入寸法で、直線状配管カバーを継手用配管カバーにより安定して固定することができる。
【００１５】
特に、突状規制部が、直線状配管カバーの異なる挿入角度及び／又は挿入寸法を規制し得る形状を有してなる場合には、直線状配管カバーの挿入角度及び挿入寸法が、直線状配管カバーの取り付け現場で決定されても、適切な挿入角度及び挿入寸法での直線状配管カバーの取り付けを容易に行うことができる。
【００１６】
また、接続口の先端部において、内周のエッジ部の全部又は一部が面取りされてなる場合には、接続口の大きさを変更することなく、より、直線状配管カバーの角度振れを大きくとることが可能となる。
【発明を実施するための最良の形態】
【００１７】
本発明の継手用配管カバーの実施例を図面に基づいて詳細に説明する。
【００１８】
なお、本明細書において、本発明の継手用配管カバーと区別するために、この継手用配管カバーに接続する配管カバーを「直線状配管カバー」と称するが、この配管カバーは、直線状に延設されるのみならず、曲線状又は屈曲可能な形状に延設されるものの全てを包含する。
【実施例１】
【００１９】
この実施例では、図１に示すように、継手用配管カバー１０は、略９０°に屈曲して、少なくとも両端に接続口１１を有するカバー本体１２から構成される。
【００２０】
カバー本体１２は、通常、配管カバーに使用されるような材料、例えば、肉厚に応じて、やや硬質の材料又は変形可能なやや軟質の材料等により形成することができる。
【００２１】
カバー本体１２は、直線状配管カバーの周囲の全部を取り囲むように、一体的に形成されていてもよいが、直線状配管カバーへの装着の簡便性から、半割形状等で分割、例えば、２分割されていることが好ましい。
【００２２】
カバー本体１２の外側の屈曲部１２ａは、例えば、直線状の配管カバー１３の接続状態に対応して、略９０°に屈折していてもよいが、例えば、半径が１００〜１０００ｍｍ程度の円弧形状で丸みを有して屈曲していることが好ましい。また、内側の屈曲部１２ｂも、外側の屈曲部１２ａと同様に屈折していてもよいが、丸みを有して屈曲していることが好ましい。具体的には、外側及び内側の屈曲部１２ａ、１２ｂは、いずれも半径約２００ｍｍ程度の円弧形状で丸みを有することができる。
【００２３】
カバー本体１２に形成されている接続口１１は、少なくとも両端に形成されていれば、その他の個所に、１箇所以上形成されていてもよい。接続口１１は、接続しようとする通常の配管カバー１３の外周と同程度又はそれよりやや大きめの大きさに設定されていることが好ましく、例えば、１００〜１０００ｍｍ程度の内周を有することができる。また別の観点から、１０〜２００ｍｍ程度の寸法（円形の場合には半径、略矩形の場合には幅、楕円形の場合には長軸又は短軸の長さ等）を有するように形成することができる。具体的には、約３０ｍｍ程度の半径を有する略円形の接続口１１を形成することができる。なお、このカバー本体１２に形成される接続口１１は、同じ大きさのものが２つ以上形成されていてもよいし、異なる大きさのものが２つ以上形成されていてもよい。
【００２４】
また、この実施例１の継手用配管カバー１０では、両端に形成された接続口１１は、接続口１１の端部を塞ぐ面、つまり接続口面を延長させた場合、接続口面は、図１に示すように、略直交するように形成されている。ただし、接続口面は、例えば８５〜９５°程度の角度を有するように交差していてもよいし、接続口面が略平行に形成されていてもよい。略平行な場合には、継手用配管カバーを介して、２つの配管カバーが直線状に接続されることになる。しかし、配管カバーの取り付け時において、所定の個所で、急激な勾配ではなく微小の勾配を必要とするような場合、直線状に配置させることを意図して取り付けたが、やや傾いて配置されてしまったような場合の対処等において、配管カバーの配置の微調整を容易に行うことができる。また、配管を室内から壁面を貫いて室外壁面に出し、壁貫通穴と配管をカバーする継手を使用し窓の上等で配管カバーを横方向に取り付ける際、容易にドレン勾配をもたせることができる。
【００２５】
カバー本体１２は、接続口１１から奥側に向かうにつれて、内径（又は内周）が大きくなるように形成されている。この場合の内径の増加は、直線的に増大してもよいし、曲線的に増大、つまり、外方向に凸部を形成するように丸み又は膨らみを有するように増大してもよい。増大する程度は、特に限定されるものではないが、接続口１１に挿入される直線状配管カバーの外周又は寸法（直径、幅等）にもよるが、直線状配管カバーが±５°程度の範囲の角度で傾斜し得るように設定されていることが好ましい。具体的には、接続口１１が約３０ｍｍ程度の半径を有する略円形である場合、接続口１１から約２０ｍｍ程度奥側に入った部分において、約３２ｍｍ程度の半径を有するように傾斜させることができる。なお、このような内径が大きくなる接続口は、一方のみでもよいし、双方ともであってもよい。
【００２６】
カバー本体１２は、接続口１１近傍の内側に、直線状配管カバー１３の挿入角度、挿入寸法又はこれらの双方を規制することができる突状規制部１４を有していることが好ましい。この突状規制部１４の形成位置、数、大きさ、形状等は、例えば、接続しようとする直線状配管カバー１３の大きさ、カバー本体１２自体の大きさ、接続口１１の大きさ等によって、適宜調整することができる。例えば、接続口１１が３０ｍｍ程度の半径を有する場合、図１に示すように、突状規制部１４は、接続口１１の中央部付近であって、接続口１１から２０ｍｍ程度奥側に入った個所に、１つの接続口１１に対して１つ、２０ｍｍ×８ｍｍ程度の矩形形状で形成することができる。
【００２７】
突状規制部１４の形成位置は、図１に示す横断面図において、接続口１１の中央部付近であってもよいが、中央部から偏った位置に形成されていてもよいし、両側部に形成されていてもよい。
また、その数は、１つのみでもよいが、２つ、３つ、４つ等でもよい。
さらに、その大きさは、配管カバーの挿入角度及び挿入寸法を決定するために、わずかに内側に突出していればよい。例えば、１０〜５００ｍｍ２程度の面積を有する面が接続口に対向していればよい。
【００２８】
突状規制部１４の形状は、円形、楕円形、多角形等の平面形状、これらの形状での曲面形状、屈曲（凹凸）形状、屈折形状等の種々の形状が挙げられる。特に、矩形の平面形状の場合には、挿入した直線状配管カバーの固定を容易かつ安定して行うことができるため好ましい。また、例えば、図１に示す横断面において、Ｖ字状に屈折している場合には、挿入した配管カバーを、予め決定されている角度、つまり、Ｖ字の２つの辺（面）に沿わせて取り付けることができ、２つの方向において配管カバーを安定して固定させることができるため好ましい。さらに、図１に示す横断面に示されているように、曲面形状の場合には、予め配管カバーの挿入角度が決定されていない場合においても、それぞれの方向において、曲面に接するように直線状配管カバーを当接させることにより、種々の挿入角度で直線状配管カバーを安定して固定させることができる。
【００２９】
なお、この突状規制部１４によって規制される直線状配管カバーの挿入角度及び挿入寸法としては、カバー本体１２及び接続口１１の形状（円形、楕円形、矩形、略矩形等）にもよるが、例えば、７０〜１２０°程度の角度、好ましくは８０〜１００°程度の角度、より好ましくは８５〜９５°程度の角度、また、５〜５０ｍｍ程度の長さが挙げられる。
【００３０】
このような継手用配管カバー１０は、例えば、半割形状で２分割されたカバー本体１２に形成されたビス孔１５ｂを利用して壁面にビス止めすることにより、壁面へ取り付けることができる。この際、接続口１１から配管カバー１３を挿入し、所定の角度で取り付けることができるようにカバー本体１２及び配管カバー１３を調整し、位置を決定した後、両者をビス等で固定する。また、継手用配管カバー１０が半割２分割されている場合には、ビス孔１５ａを利用して、両者を一体化することができる。
【実施例２】
【００３１】
この実施例では、図２に示すように、継手用配管カバー２０は、少なくとも両端に接続口２１を有するカバー本体２２から構成される。
【００３２】
カバー本体２２は、直線状配管カバー２３の周囲の全部を取り囲むように、半割形状で２分割されている。カバー本体２２の外側の屈曲部２２ａは、直線状配管カバー２３の接続状態に対応して屈折していてもよいが、例えば、半径が１００〜１０００ｍｍ程度の円弧形状を有するように丸みを帯びて屈曲していることが好ましい。また、内側の屈曲部１２ｂは屈折していてもよいし、丸みを帯びて屈曲していてもよい。継手用配管カバー２０自体の大きさは特に限定されるものではなく、例えば、外側の屈曲部２２ａの円弧形状の両端部を結ぶ弦の長さが１００〜５００ｍｍ程度の大きさとすることができる。具体的には、図２の継手用配管カバー２０においては、外側及び内側の屈曲部２２ａ、２２ｂは、いずれも半径約２００ｍｍ程度の円弧形状を有するように丸みを有しており、外側の屈曲部２２ａの円弧形状の両端部を結ぶ弦の長さが１４０ｍｍ程度の大きさで形成することができる。
【００３３】
カバー本体２２に形成されている接続口２１は、実施例１と同様に、接続しようとする通常の配管カバー２３の外周と同程度又はそれよりやや大きめの大きさに設定されていることが好ましい。具体的には、約３０ｍｍ程度の半径を有する略円形状の接続口２１を形成することができる。
また、この実施例２の継手用配管カバー２０では、両端に形成された接続口２１は、接続口２１の最端部を塞ぐ面、つまり接続口面を延長させた場合、接続口面が、例えば６０〜７５°程度の角度を有するように交差させることができる。具体的には、図２のＣで表された角度（略６７．５°）に設定する。
【００３４】
カバー本体２２は、接続口２１から奥側に向かうにつれて、内径が大きくなるように形成されている。この場合の内径の増大する程度は、特に限定されるものではなく、接続口２１に挿入される直線状配管カバーの外周又は直径にもよるが、直線状配管カバーが４５°程度の範囲の角度を振れるように設定されていることが好ましい。具体的には、接続口２１から約２０ｍｍ程度奥側に入った部分において、接続口２１に平行な断面が、約３３〜３４ｍｍ程度の半径を有するように設定することができる。
【００３５】
カバー本体２２は、接続口２１近傍の内側に、直線状配管カバー３３の挿入角度、挿入寸法又はこれらの双方を規制することができる突状規制部２４を有していることが好ましい。この突状規制部２４の形成位置、数、大きさ、形状等は、例えば、接続しようとする直線状配管カバーの大きさ、カバー本体２２自体の大きさ、接続口２１の大きさ等によって、適宜調整することができる。例えば、接続口２１が３０ｍｍ程度の半径を有する場合、図２に示すように、横断面において、接続口２１の内側の両側部に２つ形成することができる。この突状規制部２４によって規制される直線状配管カバー２３の挿入角度及び挿入寸法としては、カバー本体２２及び接続口２１の形状にもよるが、例えば、５５〜１４０°程度の角度、５〜５０ｍｍ程度の長さが挙げられる。
【００３６】
また、この実施例２においては、接続口２１の最先部において、内周のエッジ部２１ａに面取り部２１ｂが形成されている（図３参照）。この面取り部２１ｂにより、カバー本体２２及び接続口２１の大きさ及び形状を変更することなく、接続口２１に挿入された直線状配管カバー２３の挿入角度の振りを大きくとることができるとともに、挿入角度の振りを大きくしても接続口２１と配管カバー２３との隙間の発生を防止することができる。面取り部２１ｂは、接続口２１の最先部の内周のエッジ部２１ａの全てに行われていてもよいが、配管カバー２３が角度を振った場合に当接する内周のエッジ部２１ａのみ行われていてもよい。
【００３７】
このような継手用配管カバー２０を壁面へ取り付ける場合、半割形状で２分割されたカバー本体２２に形成されたビス孔２５ａを利用して、カバー本体２２及び配管カバー２３の角度や位置を調整しながら、それらの取り付け位置を決定し、固定する。
【００３８】
例えば、配管カバー２３を１３５°程度で接続する際には、配管カバー２３を、カバー本体２２の内側の側面に形成された突状規制部２４に当接するまで接続口２１から挿入するとともに、配管カバー２３の側面をカバー本体２２の内側の側面（図２中のＤで表された角度、１３５°に調整されている）に当接して安定させて、ビス等を利用して固定する。これにより、図２中のＡで表された角度（略１３５°）で、配管カバー２３を接続することができる。
【００３９】
また、配管カバー２３を９０°程度で接続する際には、同様に、配管カバー２３の側面を、カバー本体２２の外側の側面に当接し、外側の側面に形成された突状規制部２４に当接するまで配管カバー２３を挿入ればよい。これにより、図２中のＢで表された角度（略９０°）で、配管カバー２３を接続することができる。
【００４０】
上記実施例２の継手用配管カバーの変形例として、突状規制部２４が、例えば、図３のＡ部に示すように、階段状の形状のもの２４ａとしたり、図３のＢ部に示すように、直線状配管カバーの挿入方向において、重なるように複数個配置させたもの２４ｂとしてもよい。このような形状により、接続口２１に挿入される配管カバーの角度を任意に、安定的に固定することが可能となる。
【００４１】
なお、上記実施例１及び２で説明された各構成要素は、任意に取り出して、組み合わせることができる。
【産業上の利用可能性】
【００４２】
本発明の継手用配管カバーは、エアコンの配管のみならず、水道管、給湯管、ガス管等の種々の配管、さらには電線等の化粧カバーとして、通常の配管カバーについて、直線状、曲線状、屈折形状等の種々の形状での継手を可能にし、幅広い分野で利用することができる。
【図面の簡単な説明】
【００４３】
【図１】本発明の継手用配管カバーの実施例を示す断面図である。
【図２】本発明の継手用配管カバーの別の実施例を示す断面図である。
【図３】本発明の継手用配管カバーにおける突状規制部の変形を説明するための断面図である。
【図４】従来の配管カバーを示す断面図である。
【図５】従来の配管カバーを示す平面図である。
【符号の説明】
【００４４】
１０、２０  継手用配管カバー
１１、２１  接続口
１２、２２  カバー本体
１２ａ、２２ａ  外側の屈曲部
１２ａ、２２ａ  内側の屈曲部
１３、２３  配管カバー
１４、２４  突状規制部
１５ａ、１５ｂ、２５ａ、２５ｂ  ビス孔
２１ａ  エッジ部
２１ｂ  面取り部
２４ａ  階段状の形状のもの
２４ｂ  重なるように複数個配置させたもの
【図１】
2005069341.tif 000003
【図２】
2005069341.tif 000004
【図３】
2005069341.tif 000005
【図４】
2005069341.tif 000006
【図５】
2005069341.tif 000007